(57)【要約】【課題】高電圧の出力異常時において、装置を大型化することなく高電圧の出力を停止することができる電源装置を供給すること。【解決手段】電源装置４０は、第１コンバータトランスＴ１の２次側において第１電圧（ＤＣ２４Ｖ）を生成し出力する第１低圧出力手段（Ｄ１、Ｃ２）と、トランスＴ１の１次側において、その通電状態を制御する第１制御手段６１と、第１電圧に基づいて第１制御手段６１の動作を停止させる停止手段ＰＣ１と、第１電圧を用いて第１電圧より高い高電圧を生成し出力する高圧出力手段７２と、高電圧に基づき高圧出力手段７２を制御する高圧制御手段７１と、高電圧の異常を検知する異常検知手段（７１、７３）とを備える。高圧制御手段７１は、高電圧の異常が検知された場合、停止手段ＰＣ１を用いて、第１制御手段の動作を停止させる。【選択図】図２
2010057327.tif 000002
【特許請求の範囲】
【請求項１】
第１コンバータトランスと、
前記第１コンバータトランスの２次側において第１電圧を生成し出力する第１低圧出力手段と、
前記第１コンバータトランスの１次側において、前記第１電圧に基づき前記第１コンバータトランスの１次側の通電状態を制御する第１制御手段と、
前記第１電圧に基づき前記第１制御手段の動作を停止させる停止手段と、
前記第１電圧を用いて、前記第１電圧より高い高電圧を生成し出力する高圧出力手段と、
前記高電圧に基づき前記高圧出力手段を制御する高圧制御手段と、
前記高電圧の異常を検知する異常検知手段とを備え、
前記高圧制御手段は、前記高電圧の異常が検知された場合、前記停止手段を用いて、前記第１制御手段の動作を停止させる、電源装置。
【請求項２】
請求項１に記載の電源装置において、
前記高電圧の出力をＯＦＦする出力ＯＦＦモードを有し、
前記高圧制御手段は、前記異常検知手段が前記出力ＯＦＦモードにおいて所定値以上の前記高電圧を検知した場合、前記第１制御手段の動作を停止させる。
【請求項３】
請求項１または請求項２に記載の電源装置において、
第２コンバータトランスと、
前記第２コンバータトランスの２次側において前記第１電圧より低い第２電圧を生成し出力する第２低圧出力手段と、
前記第２コンバータトランスの１次側において、前記第２電圧に基づき前記第２コンバータトランスの１次側の通電状態を制御する第２制御手段と、
前記第２電圧を用いて前記異常を報知する報知手段と、
をさらに備え、
前記高圧制御手段は、前記異常が検知された場合、前記第２制御手段の動作を停止させることなく、前記第１制御手段の動作を停止させる。
【請求項４】
請求項３に記載の電源装置において、
開放時に前記高圧出力手段へのユーザのアクセスを可能にする開閉カバーと、
前記開閉カバーの開放を検知する開放検知手段と、
をさらに備え、
前記高圧制御手段は、前記高電圧の異常が検知された場合、前記開閉カバーの開放検知前に、前記第１制御手段の動作を停止させる。
【請求項５】
請求項１または請求項２に記載の電源装置において、
前記第１低圧出力手段は、前記第１電圧より低い第２電圧を生成して出力し、
前記電源装置は、
前記第２電圧を用いて前記異常を報知する報知手段と、
開放時に前記高圧出力手段へのユーザのアクセスを可能にする開閉カバーと、
前記開閉カバーの開放を検知する開放検知手段と、
をさらに備え、
前記高圧制御手段は、前記高電圧の異常が検知された場合、前記開閉カバーの開放の検知に応じて前記第１制御手段の動作を停止させる。
【請求項６】
請求項１または請求項２に記載の電源装置と、
前記高電圧を用いて画像を形成する画像形成部と、
を備える、画像形成装置。
【請求項７】
請求項６に記載の画像形成装置において、
前記電源装置は、
第２コンバータトランスと、
前記第２コンバータトランスの２次側において前記第１電圧より低い第２電圧を生成し出力する第２低圧出力手段と、
前記第２コンバータトランスの１次側において、前記第２電圧に基づき前記第２トランスの１次側の通電状態を制御する第２制御手段と、
前記第２電圧を用いて前記異常を報知する報知手段と、
をさらに含み、
前記電源装置の前記高圧制御手段は、前記異常が検知された場合、前記第２制御手段の動作を停止させることなく、前記第１制御手段の動作を停止させる。
【請求項８】
請求項７に記載の画像形成装置において、
開放時に前記電源装置の前記高圧出力手段へのユーザのアクセスを可能にする開閉カバーと、
前記開閉カバーの開放を検知する開放検知手段と、
をさらに備え、
前記高圧制御手段は、前記高電圧の異常が検知された場合、前記開閉カバーの開放検知前に、前記第１制御手段の動作を停止させる。
【請求項９】
請求項６に記載の画像形成装置において、
前記電源装置の前記第１低圧出力手段は、前記第１電圧より低い第２電圧を生成して出力し、
前記画像形成装置は、
前記第２電圧を用いて前記異常を報知する報知手段と、
開放時に前記電源装置の前記高圧出力手段へのユーザのアクセスを可能にする開閉カバーと、
前記開閉カバーの開放を検知する開放検知手段と、
をさらに備え、
前記電源装置の前記高圧制御手段は、前記高電圧の異常が検知された場合、前記開閉カバーの開放の検知に応じて前記第１制御手段の動作を停止させる。
【請求項１０】
請求項６〜請求項９のうちのいずれか一項に記載の画像形成装置において、
前記画像形成部は、
現像剤像を担持する感光体を含み、
前記現像剤像を被記録媒体に印刷するとともに、前記高電圧の異常の情報を前記被記録媒体に印刷し、
前記電源装置の前記高圧制御手段は、前記高電圧の異常が検知された場合、前記異常情報の印刷後、前記第１制御手段の動作を停止させる。
【請求項１１】
請求項６〜請求項１０のうちのいずれか一項に記載の画像形成装置において、
前記画像形成部は、前記高圧出力手段から出力される前記高電圧に基づいて前記感光体を帯電する帯電手段を含み、
前記電源装置の前記高圧制御手段は、前記帯電手段への高電圧の異常が検知された場合、前記第１制御手段の動作を停止させる。
【発明の詳細な説明】
【技術分野】
【０００１】
本発明は電源装置および当該装置を備えた画像形成装置に関し、詳しくは、電源装置の異常時の処理に関する。
【背景技術】
【０００２】
例えば、特許文献１には、コンバータトランスの２次側において電圧を出力し、コンバータトランスの１次側において、出力電圧に基づき同１次側の通電状態をスイッチング制御する技術が開示されている。そして、そこでは、出力電圧に基づき、スイッチング制御の動作を停止させる技術が開示されている。
【０００３】
また、従来より、コンバータトランスの２次側の電圧を用いて高電圧を生成する高電圧発生回路へのアクセス可能な開閉カバーが開放された場合、ユーザの安全のため、インターロックスイッチを設け、カバーオープン時に高電圧を遮断する方法がある。
【特許文献１】特開２００１−０８６７４２号
【発明の開示】
【発明が解決しようとする課題】
【０００４】
しかしながら、インターロックスイッチは電源装置の小型化の妨げになり、また、高電圧発生回路に異常があった場合でも、開閉カバーが開放されるまで高電圧は出力されたままで、高電圧が供給される部材を劣化させる虞があった。
【０００５】
本発明は、高電圧の出力異常時において、装置を大型化することなく高電圧の出力を停止することができるとともに、高電圧の異常による部材の劣化を抑制することができる電源装置を供給することを目的とする。
【課題を解決するための手段】
【０００６】
上記の目的を達成するための手段として、第１の発明の電源装置は、第１コンバータトランスと、前記第１コンバータトランスの２次側において第１電圧を生成し出力する第１低圧出力手段と、前記第１コンバータトランスの１次側において、前記第１電圧に基づき前記第１コンバータトランスの１次側の通電状態を制御する第１制御手段と、前記第１電圧に基づき前記第１制御手段の動作を停止させる停止手段と、前記第１電圧を用いて、前記第１電圧より高い高電圧を生成し出力する高圧出力手段と、前記高電圧に基づき前記高圧出力手段を制御する高圧制御手段と、前記高電圧の異常を検知する異常検知手段とを備え、前記高圧制御手段は、前記高電圧の異常が検知された場合、前記停止手段を用いて、前記第１制御手段の動作を停止させる。
【０００７】
本構成によれば、第１電圧に基づき第１制御手段の動作を停止させる停止手段を用いて、高電圧の異常が検知された場合、第１制御手段の動作を停止させて高電圧の出力を停止する。上記停止手段は、従来の電源装置に、通常使用されており、そのため、電源装置を大型化せず、コストをかけずに高電圧の出力を停止することができる。また、高電圧の異常による部材の劣化を抑制することができる。なお、ここで「高電圧の異常」には、高電圧が所定の電圧範囲にない異常、高電圧をあえて出力させない場合に出力されてしまう異常等が含まれる。すなわち、ここで、高電圧の異常とは、単に高電圧が所定値を超えてしまう異常に限られない。
【０００８】
第２の発明は、第１の発明の電源装置において、前記高電圧の出力をＯＦＦする出力ＯＦＦモードを有し、前記高圧制御手段は、前記異常検知手段が前記出力ＯＦＦモードにおいて所定値以上の前記高電圧を検知した場合、前記第１制御手段の動作を停止させる。
【０００９】
本構成によれば、出力ＯＦＦモードにおいて、例えば、高圧制御手段によって高圧出力手段をＯＦＦしようとしたにも関わらず、高圧制御手段の一部あるいは高圧出力手段等が故障しており高電圧が出力されてしまう異常時であっても、確実に高電圧の出力を停止させることができる。
【００１０】
第３の発明は、第１または第２の発明の電源装置において、第２コンバータトランスと、前記第２コンバータトランスの２次側において前記第１電圧より低い第２電圧を生成し出力する第２低圧出力手段と、前記第２コンバータトランスの１次側において、前記第２電圧に基づき前記第２コンバータトランスの１次側の通電状態を制御する第２制御手段と、前記第２電圧を用いて前記異常を報知する報知手段と、をさらに備え、前記高圧制御手段は、前記異常が検知された場合、前記第２制御手段の動作を停止させることなく、前記第１制御手段の動作を停止させる。
【００１１】
本構成によれば、高電圧の出力を確実に停止させつつ、高圧出力手段の異常を、第２電圧を使用することによって、高電圧の出力停止後も、例えば、液晶モニタ等の報知手段によってユーザに報知することができる。
【００１２】
第４の発明は、第３の発明の電源装置において、開放時に前記高圧出力手段へのユーザのアクセスを可能にする開閉カバーと、前記開閉カバーの開放を検知する開放検知手段とをさらに備え、前記高圧制御手段は、前記高電圧の異常が検知された場合、前記開閉カバーの開放検知前に、前記第１制御手段の動作を停止させる。
【００１３】
本構成によれば、高圧出力手段の異常をユーザに報知しつつ、高電圧が供給されることによる部材の劣化を、開閉カバーの開放検知後に第１制御手段を停止させる場合よりも抑制することができる。
【００１４】
第５の発明は、第１または第２の発明の電源装置において、前記第１低圧出力手段は、前記第１電圧より低い第２電圧を生成して出力し、前記電源装置は、前記第２電圧を用いて前記異常を報知する報知手段と、開放時に前記高圧出力手段へのユーザのアクセスを可能にする開閉カバーと、前記開閉カバーの開放を検知する開放検知手段とをさらに備え、前記高圧制御手段は、前記高電圧の異常が検知された場合、前記開閉カバーの開放の検知に応じて前記第１制御手段の動作を停止させる。
【００１５】
本構成によれば、開閉カバーが開放されるまで可能な限り長時間、高電圧の異常をユーザに報知することができるとともに、ユーザが高圧に触れるのを防止できる。
【００１６】
第６の発明の画像形成装置は、第１または第２の発明の電源装置と、前記高電圧を用いて画像を形成する画像形成部とを備える。
【００１７】
通常、電子写真方式の画像形成装置の画像形成部においては、複数の高電圧が利用され、画像形成装置にはその複数の高電圧を発生させる電源装置が設けられる。そのため、本構成によれば、その電源装置による高電圧の異常が検知された場合、電源装置を大型化せず、コストをかけずに高電圧の出力を停止することができる。また、高電圧の異常による画像形成部の部材、例えば、感光体の劣化を抑制することができる。
【００１８】
第７の発明は、第６の発明の画像形成装置において、前記電源装置は、第２コンバータトランスと、前記第２コンバータトランスの２次側において前記第１電圧より低い第２電圧を生成し出力する第２低圧出力手段と、前記第２コンバータトランスの１次側において、前記第２電圧に基づき前記第２トランスの１次側の通電状態を制御する第２制御手段と、前記第２電圧を用いて前記異常を報知する報知手段とをさらに含み、前記電源装置の前記高圧制御手段は、前記異常が検知された場合、前記第２制御手段の動作を停止させることなく、前記第１制御手段の動作を停止させる。
【００１９】
本構成によれば、高電圧の出力を確実に停止させつつ、高圧出力手段の異常を、第２電圧を使用することによって、高電圧の出力停止後も、例えば、画像形成装置の液晶モニタ等によってユーザに報知することができる。
【００２０】
第８の発明は、第７の発明の画像形成装置において、開放時に前記電源装置の前記高圧出力手段へのユーザのアクセスを可能にする開閉カバーと、前記開閉カバーの開放を検知する開放検知手段とをさらに備え、前記高圧制御手段は、前記高電圧の異常が検知された場合、前記開閉カバーの開放検知前に、前記第１制御手段の動作を停止させる。
【００２１】
本構成によれば、高圧出力手段の異常をユーザに報知しつつ、高電圧が供給されることによる部材、例えば、感光体の劣化を、開閉カバーの開放検知後に第１制御手段を停止させる場合よりも抑制することができる。
【００２２】
第９の発明は、第６の発明の画像形成装置において、前記電源装置の前記第１低圧出力手段は、前記第１電圧より低い第２電圧を生成して出力し、前記画像形成装置は、前記第２電圧を用いて前記異常を報知する報知手段と、開放時に前記電源装置の前記高圧出力手段へのユーザのアクセスを可能にする開閉カバーと、
前記開閉カバーの開放を検知する開放検知手段とをさらに備え、前記電源装置の前記高圧制御手段は、前記高電圧の異常が検知された場合、前記開閉カバーの開放の検知に応じて前記第１制御手段の動作を停止させる。
【００２３】
本構成によれば、開閉カバーが開放されるまで可能な限り長時間、高電圧の異常をユーザに報知することができるとともに、ユーザが高圧に触れるのを防止できる。
【００２４】
第１０の発明は、第６〜第９のいずれかの発明の画像形成装置において、前記画像形成部は、現像剤像を担持する感光体を含み、前記現像剤像を被記録媒体に印刷するとともに、前記高電圧の異常の情報を前記被記録媒体に印刷し、前記電源装置の前記高圧制御手段は、前記高電圧の異常が検知された場合、前記異常情報の印刷後、前記第１制御手段の動作を停止させる。
【００２５】
本構成によれば、高電圧の異常を画像形成装置のユーザに被記録媒体によって報知しつつ、高電圧が供給されることによる部材、例えば、画像形成部の感光体の劣化を抑制できる。
【００２６】
第１１の発明は、第６〜第１０のいずれかの発明の画像形成装置において、前記画像形成部は、前記高圧出力手段から出力される前記高電圧に基づいて前記感光体を帯電する帯電手段を含み、前記電源装置の前記高圧制御手段は、前記帯電手段への高電圧の異常が検知された場合、前記第１制御手段の動作を停止させる。
【００２７】
通常、帯電手段へ印加される帯電電圧は、画像形成部へ印加される高電圧のうちで最大のパワーを有する。そのため、本構成によれば、帯電電圧の異常時に、より好適に本発明を適用できる。
【発明の効果】
【００２８】
本発明の電源装置によれば、高電圧の出力異常時において、装置を大型化することなく高電圧の出力を停止することができるとともに、高電圧の異常による部材の劣化を抑制することができる。
【発明を実施するための最良の形態】
【００２９】
＜実施形態１＞
本発明の実施形態１を、図１〜図４を参照して説明する。
【００３０】
１．画像形成装置の構成
図１は、本発明の画像形成装置の実施形態１に係る構成を概略的に示す要部側断面図である。ここでは、画像形成装置がレーザプリンタ１０に適用された例が示される。
【００３１】
レーザプリンタ１０は、ブラック（Ｋ）、シアン（Ｃ）、マゼンタ（Ｍ）、イエロー（Ｙ）の各色に対応する４つの現像ローラ３１Ｋ、３１Ｃ、３１Ｍ、３１Ｙおよび感光体ドラム３２Ｋ、３２Ｃ、３２Ｍ、３２Ｙ等を備えた、いわゆるダイレクトタンデム型のカラーレーザプリンタである。なお、以下の説明においては、前側とは図１の右側を示すものとする。また、画像形成装置はカラーレーザプリンタに限られず、例えば、モノクロレーザプリンタ、あるいはＬＥＤプリンタであってもよいし、ファクシミリ機能およびコピー機能を備えた、いわゆる複合機であってもよい。
【００３２】
レーザプリンタ（以下、単に「プリンタ」と記す）１０はボックス状を成す本体ケーシング１１を備えている。本体ケーシング１１の内部には、給紙部２１、用紙（被記録媒体の一例）３を搬送する用紙搬送部２３、電子写真方式によって画像を形成する画像形成部２５、およびスキャナ部２７が、下から順に積み重ねて配置されている。また、プリンタ１０の各部に電気信号を供給する電気回路部２０が設けられている。電気回路部２０は、以下で詳述する電源装置４０を含む。
【００３３】
ここで、画像形成部２５には現像ローラ３１（３１Ｋ〜３１Ｙ）、感光体ドラム３２（３２Ｋ〜３２Ｙ）、帯電器３３（３３Ｋ〜３３Ｙ）、転写ローラ３４（３４Ｋ〜３４Ｙ）、および定着器３５等が含まれる。なお、定着器３５は、熱源を有する加熱ローラ３５Ａと、用紙３を加熱ローラ３５Ａ側へ押圧する加圧ローラ３５Ｂとを備えており、用紙３上に転写されたトナー像を紙面に熱定着させる。
【００３４】
また、本体ケーシング１１の前面は、画像形成部２５にアクセスするためのアクセス口とされ、そこには、フロントカバー（開閉カバーの一例）１５が回動操作可能に設置されている。これにより、アクセス口を閉止、或いは開放出来るようになっている。また、開閉センサ２２がフロントカバー１５に隣接して配置されている。開閉センサ２２は、フロントカバー１５の開閉に応じた検知信号を生成し、検知信号を電気回路部２０に供給する。
【００３５】
スキャナ部２７にはポリゴンミラー（図示せず）、および各色に対応した４つのレーザダイオード（図示せず）が内蔵されている。各レーザダイオードから出射された各レーザ光Ｌ１〜Ｌ４は、ポリゴンミラーで偏向されて、その後、光路上に設置される反射鏡などの光学部品によって向きを変えられ、図１に示すように各感光体ドラム３２（３２Ｋ〜３２Ｙ）の表面に高速走査にて照射される。これにより、各感光体ドラム３２（３２Ｋ〜３２Ｙ）上に静電潜像が形成される。その後、現像工程、転写工程、定着工程を経ることで用紙搬送経路（図示せず）を送られてくる用紙３に画像を形成させ、画像形成後の用紙３を本体ケーシング１１の上面壁１１Ａに設けられる排紙トレイ上に排紙するように構成されている。
【００３６】
２．電源装置の構成
次に、図２の回路ブロック図を参照して、本発明の電源装置４０の実施形態１に係る回路構成について説明する。ここでは、電源装置４０は、画像形成装置の一例である上記プリンタ１０に設けられる例が示される。なお、電源装置４０はプリンタ１０に設けられる例に限られない。
【００３７】
電源装置４０は、図２に示されるように、大きくは、整流部５０、低圧電源部６０および高圧電源部７０を含む。  
整流部５０は、ダイオードブリッジからなる整流回路５１および平滑コンデンサＣ１を含み、ＡＣ入力、例えば、ＡＣ１００Ｖを整流する。
【００３８】
低圧電源部６０は、いわゆるＲＣＣ（リンギング・チョーク・コンバータ）であり、通常の、コンバータトランス（本発明における「第１コンバータトランス」に相当）Ｔ１、スイッチングトランジスタＱ１、一次側制御回路（「第１制御手段」の一例）６１、過電流検出回路６２、過電圧検出回路６３、出力電圧制御回路６４、フォトカプラ（「停止手段」の一例）ＰＣ１等を含む。
【００３９】
低圧電源部６０は、また、コンバータトランスＴ１の２次側において、本発明における第１低圧出力手段の一例であるダイオードＤ１およびコンデンサＣ２を含む。ダイオードＤ１およびコンデンサＣ２は、コンバータトランスＴ１の２次側の電圧を整流して、ここでは、ＤＣ２４Ｖ（「第１電圧」の一例）を生成し、ＤＣ２４Ｖを高圧電源部７０等の高圧の直流を必要とする回路に出力する。
【００４０】
低圧電源部６０は、また、コンバータトランスＴ１の２次側において、コンバータトランスＴ１の２次側巻き線の中間タップに接続されたダイオードＤ２、コンデンサＣ３およびＤＣ−ＤＣコンバータ６６を含む。ダイオードＤ２およびコンデンサＣ３は、コンバータトランスＴ１の２次側の中間タップの電圧を整流して、所定のＤＣ電圧を生成する。ＤＣ−ＤＣコンバータ６６は、所定のＤＣ電圧を変換して、ここではＤＣ３．３Ｖ（「第２電圧」の一例）を生成し、ＤＣ３．３Ｖを、低圧の直流で動作する回路、例えば、本体ケーシング１１に設けられる液晶モニタ（「報知手段」の一例）２４に出力する。
【００４１】
過電流検出回路６２は、例えば、従来の構成である誤差増幅器および比較器を含む。過電流検出回路６２は、電流検出抵抗Ｒ１の両端の電圧差によって電流を検出し、その電圧差が所定量を超えた場合に、抵抗Ｒ４およびダイオードＤ３を介してフォトカプラＰＣ１のダイオードに所定の電流を供給する。それにしたがってフォトカプラＰＣ１のトランジスタがオンすることによって、一次側制御回路６１は動作を停止し、低圧電源部６０はシャットダウンする。
【００４２】
また、過電圧検出回路６３は、例えば、出力ラインに接続されたツェナーダイオードによって構成される。過電圧検出回路６３は、出力ＤＣ電圧が所定値（ツェナー電圧）を超えた場合に、抵抗Ｒ５およびダイオードＤ４を介してフォトカプラＰＣ１のダイオードに所定の電流を供給して、過電流検出回路６２と同様に、低圧電源部６０をシャットダウンさせる。
【００４３】
出力電圧制御回路６４は、例えば、従来の構成である誤差増幅器および絶縁素子（フォトカプラ）を含む。出力電圧制御回路６４は、分圧抵抗Ｒ２および抵抗Ｒ３によって出力電圧を検出する。誤差増幅器は、出力電圧（分圧値）と基準値との差を増幅して、その増幅信号をフォトカプラに供給する。その際、出力電圧制御回路６４は、出力電圧を所定値とするために、出力電圧（分圧値）が誤差増幅器の基準値と等しくなるようにフォトカプラを介して一次側制御回路６１を制御する。その際、一次側制御回路６１は、コンバータトランスＴ１の１次側において、出力電圧（第１電圧）に基づき、詳しくは、出力電圧制御回路６４のフォトカプラのトランジスタ電流に基づきコンバータトランスＴ１の１次側の通電状態を制御する。
【００４４】
高圧電源部７０は、ＣＰＵ（「高圧制御手段」および「異常検知手段」の一例）７１、昇圧回路（「高圧出力手段」の一例）７２および高電圧検出回路（「異常検知手段」の一例）７３を含む。高圧電源部７０は、低圧電源部６０からＤＣ２４Ｖを受け取り、ＤＣ２４Ｖに基づいて画像形成部２５に印加する高電圧、例えば、帯電器３３に印加する帯電電圧、現像ローラ３１に印加する現像バイアスおよび転写ローラ３４に印加する転写バイアス等を生成する。なお、図２には、便宜上、帯電器３３に印加する帯電電圧Ｖｃｈｇを生成する構成のみが示される。また、高圧電源部７０は、通常の高電圧を出力する高圧出力ＯＮモードと、高電圧の出力をＯＦＦする高圧出力ＯＦＦモードとを有する。
【００４５】
昇圧回路７２は、例えば、コンバータトランスを含むＲＣＣによって構成され、高電圧、例えば、５ｋＶ〜８ｋＶの帯電電圧Ｖｃｈｇを生成する。高電圧検出回路７３は、例えば分圧抵抗Ｒ７およびＲ８によって構成され、高圧出力を分圧して高圧検出信号Ｖｄｖを生成する。なお、複数の昇圧回路７２に対応して、複数の高電圧検出回路７３が設けられる。
【００４６】
ＣＰＵ７１は、高電圧検出回路７３によって検出される高電圧（分圧）に基づき、高電圧が所定電圧となるように昇圧回路７２を、例えばＰＷＭ（パルス幅変調）信号によって制御する。また、ＣＰＵ７１は、高電圧の出力をＯＮ／ＯＦＦするモード切替信号ＭＳを電気回路部２０から受け取り、モード切替信号ＭＳにしたがって高電圧の出力をＯＮ／ＯＦＦ、すなわち、ＰＷＭ信号の供給をＯＮ／ＯＦＦする。
【００４７】
ＣＰＵ７１は、また、複数の昇圧回路７２に対応して、複数のＰＷＭ信号を生成するＰＷＭ信号生成部、および複数の高電圧検出回路７３に対応してそれぞれ高圧検出信号Ｖｄｖをデジタル信号に変換する複数のＡ／Ｄ変換回路を有するＡ／Ｄ変換部を含む。ＣＰＵ７１には、ＣＰＵ７１が実行する各種処理プログラムを格納するＲＯＭ７４およびＣＰＵ７１の実行結果等を記憶するＮＶ（不揮発性）ＲＡＭ７５が接続されている。
【００４８】
３．高圧異常検出制御
次に、図３を参照して、本発明の電源装置４０の実施形態１における高圧異常検出制御について説明する。図３は、高圧異常検出制御に係る処理を示すフローチャートである。高圧異常検出制御に係る処理は、例えば、ＲＯＭ７４に格納されたプログラムにしたがって、ＣＰＵ７１によって実行される。
【００４９】
図３に示すステップＳ１００において、ＣＰＵ７１は、例えば、印字指示が所定時間ない場合、高電圧の出力をＯＦＦするモード切替信号ＭＳを受け取り、高電圧の出力をＯＦＦする高圧出力ＯＦＦモードに移行する。このとき、ＣＰＵ７１内のＰＷＭ信号生成部は非能動化され、ＰＷＭ信号生成部はＰＷＭ信号の生成を停止する。すると、昇圧回路７２の動作も停止され、高電圧の生成が停止される。このとき、ステップＳ１１０に示されるように、ＣＰＵ７１は、高圧検出信号Ｖｄｖによって高圧出力を検知する。
【００５０】
そして、ステップＳ１２０において、ＣＰＵ７１は、高圧検出信号Ｖｄｖにしたがって、所定値（０Ｖも含む）以上の高圧出力が有るかどうかを判定する。ステップＳ１２０において所定値以上の高圧出力がないと判定した場合、本処理を終了する。
【００５１】
一方、ステップＳ１２０において所定値以上の高圧出力が有ると判定した場合、ステップＳ１３０において、ＣＰＵ７１は、高圧出力ＯＦＦモードであるにもかかわらず高圧が出力されているため、高圧発生に係る異常が発生していると認識し、現状のバックアップ処理を行う。バックアップ処理として、例えば、複数の高電圧のうちどの高圧発生に係る異常が発生しているかをＮＶＲＡＭ７５に記憶したり、あるいはその情報を、画像形成部２５によって用紙３に印刷して印刷出力させたりすることが含まれる。また、ステップＳ１４０においては、報知手段である液晶モニタ２４にエラー（高圧異常）情報を表示させる。ここで、液晶モニタ２４は、ＤＣ３．３Ｖによって駆動される。なお、報知手段は液晶モニタ２４に限られず、例えば、ＤＣ３．３Ｖによって駆動されるブザー等であってもよい。
【００５２】
次いで、ステップＳ１５０において、ＣＰＵ７１は、フロントカバー１５がオープンされたかどうかを判定する。フロントカバー１５がオープンされていないと判定した場合には、ステップＳ１５０の処理を繰り返し、フロントカバー１５がオープンされたと判定した場合には、ステップＳ１６０において電源装置４０の動作を停止させるための電源シャットダウン信号ＳＳを生成し、電源シャットダウン信号ＳＳを抵抗Ｒ６およびダイオードＤ５を介してフォトカプラＰＣ１に供給する。電源シャットダウン信号ＳＳにしたがって一次側制御回路６１の動作が停止され、低圧電源部６０および高圧電源部７０の動作が停止される。
【００５３】
４．実施形態１の効果
高電圧の出力をＯＦＦする高圧出力ＯＦＦモードにおいて、高圧出力が検出された場合、ＣＰＵ７１は、電源シャットダウン信号ＳＳによって一次側制御回路６１の動作を停止させる。その際、単に、既存のフォトカプラＰＣ１を利用して一次側制御回路６１の動作を停止させる。そのため、インターロックスイッチ等を別途設ける必要がない。その結果、高電圧の異常生成が検知された場合、電源装置４０を大型化せず、コストをかけずに異常発生の高電圧の出力を停止することができる。高電圧が供給されることによる部材、例えば、画像形成部２５の感光ドラム３２の劣化を抑制できる。なお、この場合、高電圧の異常生成の原因として、ＰＷＭ信号生成部の動作不良、昇圧回路７２の異常発振等が考えられる。
【００５４】
また、フロントカバー１５が開放されるまで可能な限り長時間、高電圧の異常発生を液晶モニタ２４によってユーザに報知することができるとともに、ユーザが不注意に高圧に触れるのを防止できる。
【００５５】
さらに、高電圧の異常発生に関する情報がＮＶＲＡＭ７５に記憶され、また印字出力されるため、高電圧の異常発生に関するメンテナンス作業が効率化される。
【００５６】
なお、通常、帯電器３３へ印加される帯電電圧Ｖｃｈｇは、画像形成部２５へ印加される高電圧のうちで最大のパワーを有するため、ユーザが不注意に触れることを防止する場合における高い優先度を有する。そのため、図３のステップＳ１４０の次に、図４のステップＳ１４５に示すように、高圧出力が帯電電圧Ｖｃｈｇであるかどうかを判定するようにしてもよい。そして、異常発生の高圧出力が帯電電圧Ｖｃｈｇである場合のみ、ステップＳ１５０およびステップＳ１６０の電源シャットダウン処理を実行するようにしてもよい。この場合、帯電電圧Ｖｃｈｇの異常発生時に、より好適に本発明を適用できる。
【００５７】
＜実施形態２＞
次に、図５および図６を参照して本発明の画像形成装置の実施形態２を説明する。なお、実施形態１とは電源装置のみが異なるため、電源装置についてのみ説明する。また、実施形態１と同一の構成には同一の符号を付し、並びに実施形態１と同一の処理には同一のステップ番号を付し、その説明を省略する。
【００５８】
図５は、実施形態２における電源装置４０Ａの概略的なブロック回路図である。
図５に示されるように、実施形態２の電源装置４０Ａにおいては、２つの低圧電源部６０Ａおよび６０Ｂが設けられ、ＤＣ３．３Ｖ（第２電圧）が、低圧電源部６０Ｂによって生成される。そのため、低圧電源部６０Ａは、実施形態１の低圧電源部６０からダイオードＤ２、コンデンサＣ３およびＤＣ−ＤＣコンバータ６６が省略されて、形成されている。
【００５９】
また、低圧電源部６０Ｂは、低圧電源部６０Ａと同様にＲＣＣであり、通常の、コンバータトランス（本発明における「第２コンバータトランス」に相当）Ｔ２、スイッチングトランジスタＱ２、一次側制御回路（第２制御手段の一例）６１Ａ、ダイオードＤ６およびコンデンサＣ４（「第２出力手段」の一例）、過電流検出回路６２Ａ、出力電圧制御回路６４Ａ、フォトカプラＰＣ２等を含む。すなわち、過電圧検出回路が設けられておらず、またＣＰＵ７１から電源シャットダウン信号ＳＳを受け取らない点においてのみ、低圧電源部６０Ｂは、低圧電源部６０Ａと相違する。
【００６０】
このような構成において、ＣＰＵ７１は、高圧出力ＯＦＦモードにおいて所定値以上の高電圧が検知された場合、低圧電源部６０Ｂの一次側制御回路６１Ａの動作を停止させることなく、低圧電源部６０Ａの一次側制御回路６１の動作のみを停止させる。すなわち、高電圧の異常が検知された場合、ＤＣ２４Ｖの生成は停止されるが、ＤＣ３．３Ｖの生成は停止されず、ＤＣ３．３Ｖの印加は継続される。
【００６１】
そのため、実施形態２においては、高圧異常検知処理において、図６のフローチャートに示されるように、図３のステップＳ１５０における、フロントカバー１５がオープンされたかどうかを判定する処理が省略される。すなわち、実施形態２においては、高圧異常が検出されると、フロントカバー１５の開閉にかかわらず、低圧電源部６０Ａの動作が停止される。
【００６２】
その結果、高電圧の異常出力を確実に早期に停止させつつ、高電圧の異常を、ＤＣ３．３Ｖ（第２電圧）を使用することによって、高電圧の出力停止後においても、例えば、液晶モニタ２４等によってユーザに報知することができる。また、高電圧の異常出力が早期に停止されるため、高電圧が供給されることによる部材、例えば、感光ドラム３２の劣化を、フロントカバー１５の開放検知後に低圧電源部６０Ａの一次側制御回路６１（第１制御手段）を停止させる場合よりも抑制することができる。すなわち、実施形態２においては、高電圧の異常出力による感光ドラム３２の劣化を実施形態１よりも抑制することができる。
【００６３】
なお、低圧電源部６０Ｂの抵抗Ｒ７、Ｒ８、Ｒ９およびＲ１０は、それぞれ低圧電源部６０Ａの抵抗Ｒ１、Ｒ２、Ｒ３およびＲ４に相当し、低圧電源部６０ＢのダイオードＤ７は、低圧電源部６０ＡのダイオードＤ３に相当する。
＜他の実施形態＞
本発明は上記記述及び図面によって説明した実施形態に限定されるものではなく、例えば次のような実施形態も本発明の技術的範囲に含まれ、更に、下記以外にも要旨を逸脱しない範囲内で種々変更して実施することができる。
【００６４】
（１）上記各実施形態においては、高電圧の出力をＯＦＦする高圧出力ＯＦＦモード時において、高電圧の異常発生を検出する例を示したが、これに限定されず、高圧出力のＯＮ／ＯＦＦモードにかかわらず高電圧の異常発生を検出するようにしてもよい。すなわち、図７のフローチャートに示されるように、図３におけるＳ１００の処理を省略し、ステップＳ１２０に代えて、ステップＳ１２１において、高圧検出信号Ｖｄｖにしたがって高圧異常かどうかを判定するようにしてもよい。この場合であっても、高電圧の異常が検知された場合、既存の構成を利用して、電源装置を大型化せず、コストをかけずに高電圧の出力を停止することができる。また、高電圧の異常による部材の劣化を抑制することができる。
【００６５】
なお、この場合、「高圧異常」とは、帯電電圧、現像バイアスおよび転写バイアス等の複数の高電圧のうちの少なくとも一つが所定の電圧範囲にない場合等が考えられる。すなわち、ここで、高圧異常は、高電圧が所定値を超えた場合に限られない。また、その際の高圧異常の原因として、昇圧回路の動作不良、およびＰＷＭ信号の生成に係る不良（ＰＷＭ信号生成部あるいはＡ／Ｄ変換部の不良）等が考えられる。
【００６６】
（２）上記各実施形態においては、開閉カバー、その開放検知手段および報知手段を画像形成装置に設ける例を示したが、これに限定されず、それらを電源装置自体に設けるようにしてもよい。
【００６７】
（３）上記各実施形態においては、電源装置（４０、４０Ａ）が画像形成装置に設けられる例を示したが、これに限定されない。本発明による電源装置は、高電圧を利用するあらゆる電子機器に適用できる。
【００６８】
（４）上記各実施形態においては、高圧検出信号Ｖｄｖにしたがって高圧異常かどうかを判定する例を示したがこれに限定されない。例えば、高電圧の出力を定電流制御する場合には、電圧検出に代えて、高電圧の出力側の電流検出にしたがって高電圧の生成に係る異常を判定するようにしてもよい。すなわち、本発明は、高電圧の出力を定電圧制御する場合のみならず、高電圧の出力を定電流制御する場合にも適用できる。
【図面の簡単な説明】
【００６９】
【図１】本発明によるレーザプリンタの実施形態１にかかる要部側断面図
【図２】レーザプリンタの電源装置の概略的な回路ブロック図
【図３】高圧異常検出の処理を示すフローチャート
【図４】別の高圧異常検出の処理を示すフローチャート
【図５】実施形態２にかかるレーザプリンタの電源装置の概略的な回路ブロック図
【図６】実施形態２における高圧異常検出の処理を示すフローチャート
【図７】別の実施形態における高圧異常検出の処理を示すフローチャート
【符号の説明】
【００７０】
１０…レーザプリンタ（画像形成装置）
１５…フロントカバー（開閉カバー）
２２…開閉センサ（開放検知手段）
２４…液晶モニタ（報知手段）
３１…現像ローラ（画像形成部）
３２…感光体ドラム（画像形成部）
３３…帯電器（帯電手段）
３４…転写ローラ（画像形成部）
４０、４０Ａ…電源装置
６１…一次側制御回路（第１制御手段）
６１Ａ…一次側制御回路（第２制御手段）
６６…ＤＣ−ＤＣコンバータ（第１低圧出力手段）
７１…ＣＰＵ（高圧制御手段、異常検知手段）
７２…昇圧回路（高圧出力手段）
７３…高電圧検出回路（異常検知手段）
Ｃ２、Ｃ３…コンデンサ（第１低圧出力手段）
Ｃ４…コンデンサ（第２低圧出力手段）
Ｄ１、Ｄ２…ダイオード（第１低圧出力手段）
Ｄ６…ダイオード（第２低圧出力手段）
ＰＣ１…フォトカプラ（停止手段）
Ｔ１…第１コンバータトランス
Ｔ２…第２コンバータトランス
【図１】
2010057327.tif 000003
【図２】
2010057327.tif 000004
【図３】
2010057327.tif 000005
【図４】
2010057327.tif 000006
【図５】
2010057327.tif 000007
【図６】
2010057327.tif 000008
【図７】
2010057327.tif 000009